(57)【要約】【課題】本発明は、ハンガを掛け吊す少なくとも２つのハンガパイプを備えるハンガスタンドに関し、簡易構造かつ小スペースで奥行き２列のハンガ掛けにおける奥側を手前側に容易に反転可能とさせ、利便性の向上を図ることを目的とする。【解決手段】ハンガを掛け吊す対向するハンガパイプ１３，１４を対向する連結パイプ１５，１６で回動係合部１６Ａ〜１６Ｄにより回動自在に連結させたハンガ吊掛部１２を、梁パイプ１８に回動係合部１９Ａ，１９Ｂにより回動自在に取り付け、当該梁パイプ１８を支持柱２０に回動係合部２１により回動自在に取り付ける構成とする。【選択図】  図１
2006034397.tif 000002
【特許請求の範囲】
【請求項１】
ハンガを掛け吊す対向する吊掛部材が対向する連結部材により連結され、それぞれの連結部分で回動自在なハンガ吊掛部と、
前記ハンガ吊掛部の各連結部材を回動自在に支持する梁部と、
前記梁部を回動自在に支持する支持部と、
前記支持部を支持するスタンド部と、
を有することを特徴とするハンガスタンド。
【請求項２】
請求項１記載のハンガスタンドであって、前記ハンガ吊掛部の対向する吊掛部材は、水平面に対して水平または段違いに配置されることを特徴とするハンガスタンド。
【請求項３】
請求項１または２記載のハンガスタンドであって、前記ハンガ吊掛部の対向する連結部材のそれぞれに保護部が設けられることを特徴とするハンガスタンド。
【発明の詳細な説明】
【技術分野】
【０００１】
本発明は、ハンガを掛け吊す少なくとも２つのハンガパイプを備えるハンガスタンドに関する。
【背景技術】
【０００２】
近年、衣類等を収納するためのハンガ掛けには、押入内やクローゼット内にハンガパイプを懸架させるものや、所定数のハンガパイプを備えたハンガスタンドを床上に設置する場合など種々のものが知られている。例えば、設置場所の省スペース化、掛け吊すハンガ数の増加などの要請から、奥行き２列でハンガパイプがを配置させることも知られている。何れの使用形態においてもハンガの出し入れ易さが望まれる。
【０００３】
ここで、図７に、従来のハンガ掛けの説明図を示す。図７（Ａ）において、押入やクローゼット内の空間１０１内に、対向する壁側の間に奥行き２列でハンガパイプ１０２，１０３が取り付け固定されたもので、各ハンガパイプ１０２，１０３にそれぞれ所定数のハンガ１０４が掛け吊されるものである。このようなハンガ掛けは、衣類等がハンガ１０４に掛けられて奥行き２列のハンガパイプ１０２，１０３のそれぞれに掛け吊された場合、特に奥側のハンガパイプ１０３に掛け吊されたハンガ１０４を取り出すには手前側のハンガパイプ１０２に掛け吊されたハンガ１０４を寄せたり、手前側のハンガ１０４を一旦取り出さなければならない。このような不便さを解消したものとして以下の特許文献に回転ハンガーが提案されている。
【０００４】
【特許文献１】特開平８−２５２１６０号公報
【０００５】
上記特許文献に提案されている回転ハンガーは、図７（Ｂ）に示すように、クローゼット等の空間１１１内で、リング状のスライドレール１１２が天井に取り付けられ、当該スライドレール１１２に多数のスライドリング１１３をスライド可能に設けられるもので、当該スライドリング１１３のそれぞれにハンガー１１４が取り付けられることでスライドレール１１２上をスライド可能とされたものである。すなわち、奥側に位置するハンガー１１４をスライドレール１１２上でスライドさせて手前側に位置させることで洋服等の掛け外しを容易とさせたものである。
【発明の開示】
【発明が解決しようとする課題】
【０００６】
しかしながら、上記特許文献で提案されている回転ハンガーは、スライドレール１１２を天井への取り付け工事を必要とすると共に、構成する部材も多く高価であるという問題がある。一方、図７（Ｃ）に示すように、キャスターが取り付けられた移動枠体１２１に支持柱１２２，１２３が取り付けられ、当該支持柱１２２，１２３の先端に矩形状の吊掛枠体１２４が取り付けられて当該吊掛枠体１２４に奥行き２列にハンガを掛け吊す簡易な構造のものも知られているが、部屋の空きスペースの空間１２５に配置されて奥側のハンガを取り出すときには当該空間１２５より移動させなければならず、その分の領域を必要とするという問題がある。
【０００７】
そこで、本発明は上記課題に鑑みなされたもので、簡易構造かつ小スペースで奥行き２列のハンガ掛けにおける奥側を手前側に容易に反転可能とさせ、利便性の向上を図るハンガスタンドを提供することを目的とする。
【課題を解決するための手段】
【０００８】
上記課題を解決するために、請求項１の発明のハンガスタンドでは、ハンガを掛け吊す対向する吊掛部材が対向する連結部材により連結され、それぞれの連結部分で回動自在なハンガ吊掛部と、前記ハンガ吊掛部の各連結部材を回動自在に支持する梁部と、前記梁部を回動自在に支持する支持部と、前記支持部を支持するスタンド部と、を有する構成とする。
【０００９】
請求項２、３の発明のハンガスタンドでは、「前記ハンガ吊掛部の対向する吊掛部材は、水平面に対して水平または段違いに配置される」構成であり、
「前記ハンガ吊掛部の対向する連結部材のそれぞれに保護部が設けられる」構成である。
【発明の効果】
【００１０】
請求項１の本発明によれば、ハンガを掛け吊す対向する吊掛部材を対向する連結部材で回動自在に連結させたハンガ吊掛部を、梁部に回動自在に取り付け、当該梁部を支持部に回動自在に取り付ける構成とさせることにより、奥行き２列で吊掛部材に掛け吊されたハンガのうち、当該吊掛部材の長さによる幅の範囲、すなわち小スペースで奥側の吊掛部材を手前側に反転させることができ、利便性を向上させることができ、これを簡易構造で実現することができるものである。
【００１１】
請求項２の発明によれば、ハンガ吊掛部の対向する吊掛部材を、特に段違いに配置させることにより、奥行き２列で掛け吊されたハンガの先端同士、ひいては掛けられる衣類等のぶつかり合いを回避させることができるものである。
【００１２】
請求項３の発明によれば、ハンガ吊掛部の対向する連結部材のそれぞれに保護部を設けることにより、吊掛部材の反転をハンガ掛けされた衣類等に影響されずにスムーズに行うことができると共に、反転の際のハンガ掛けされた衣類等の引っかかりや擦れを回避させることができるものである。
【発明を実施するための最良の形態】
【００１３】
以下、本発明の最良の実施形態を図により説明する。
図１に、本発明に係るハンガスタンドにおける第１実施形態の構成図を示す。図１において、ハンガスタンド１１は、ハンガ吊掛部１２が、ハンガを掛け吊す吊掛部材であるハンガパイプ１３，１４、連結部材である連結パイプ１５，１６およびこれらを連結する連結部材である回動係合部１７Ａ〜１７Ｄにより構成される。すなわち、対向するハンガパイプ１２，１３が、当該ハンガパイプ１３，１４のそれぞれの両端で対向する連結パイプ１５，１６がそれぞれ回動係合部１７Ａ〜１７Ｄ（図２で説明する）により回動自在に連結されるものである。
【００１４】
上記ハンガ吊掛部１２におけるそれぞれの連結パイプ１５，１６の略中央部分で梁部である梁パイプ１８の両端が連結部材である回動係合部１９Ａ，１９Ｂ（図２で説明する）により回動自在に連結される。上記梁パイプ１８は、略中央部分で鉛直の支持部である支持柱２０の先端と連結部材である回動係合部２１により回動自在に連結される。また、支持柱２０の他端は、例えばキャスタをそれぞれ備える例えば４脚のスタンド部２２に取り付け固定される。この取り付け固定としては、当該スタンド部２２に例えば嵌合部２４が設けられ、当該嵌合部２４に支持柱２０の他端を嵌合させる。なお、スタンド部２２は、移動可能にキャスタを備えるものとしたが、単に床等の上に置かれる構造のものでもよい。そして、上記のようなハンガスタンド１１のハンガパイプ１３，１４には、所定数のハンガ２４が衣類等（図示せず）が掛けられて掛け吊されるものである。
【００１５】
ここで、図２に、図１における各回動係合部の一例の説明図を示す。図２（Ａ）は回動係合部１７Ａを示したもので、回動係合部１７Ｂ〜１７Ｄ，１９Ａ，１９Ｂにおいても同様である。図２（Ａ）において、ハンガパイプ１３には挿通孔３１が形成されると共に、連結パイプ１５においても対応する箇所に挿通孔３２が形成される。そこで、ネジ山が形成された回転軸３３がハンガパイプ１３の挿通孔３１に挿入されて当該ハンガパイプ１１３の両端よりナット３４，３５により固定される。そして、固定された回転軸３３の延長部分を連結パイプ１５の挿通孔３２に挿通させることで当該連結部分におけるハンガパイプ１３および連結パイプ１５は互いに回動自在となるものである。上記回転軸３３およびナット３４，３５により回動係合部１７Ａが構成される。
【００１６】
そして、回動係合部１７Ａ〜１７Ｄとして、それぞれのハンガパイプ１３，１４の両端に上記回転軸３３をナット３４，３５により取り付け、対応のそれぞれの連結パイプ１５，１６の両端に形成された挿通孔３２に、単に挿通させることで互いに回動自在に連結されるものである。また、同様に、連結パイプ１５，１６においても回転軸（３３）をナット（３４，３５）により取り付け、対応の梁パイプ１８に形成された挿通孔（３２）に回転軸（３３）の延長部分を単に挿通させることで当該連結パイプ１５，１６と梁パイプ１８とが回動自在に連結されるもので、これらが回動係合部１９Ａ，１９Ｂとなるものである。
【００１７】
また、図２（Ｂ）は回動係合部２１を示したもので、まず、梁パイプ１８の略中央部分の下方に円筒状の軸受３５が溶接等により取り付けられ、その円筒内部の最奥部分に金属製またはプラスチック製の当接部３７が設けられる。この当接部３７は、後述の回転軸先端と当接されるもので、回転摩擦による梁パイプ１８への影響を回避させるためのものである。一方、支持柱２０の先端部分には、例えば内部に溶接された金属製の固定部３８により回転軸３９が上方に延出されて溶接等により取り付け固定される。この回転軸３９の先端は円弧状に形成される。すなわち、当該回転軸３９の延出部分を軸受３６内に挿入するだけで支持柱２０と梁パイプ１８とが回動自在となるものであり、このとき回転軸３９の先端が円弧形状であることから、上記当接部３７との接触部分が略点（微小面積）となり、回転をスムーズとさせることができるものである。
【００１８】
ここで、上述の図２（Ａ）、（Ｂ）をふまえて図１のハンガスタンド１１全体の組み立てを簡単に説明すると、まず、キャスタを取り付けたスタンド部２２の嵌合部２３に支持柱２０の他端を嵌合固定し、一端で延出した回転軸３９に梁パイプ１８の軸受３６を挿入させる。梁パイプ１８の両端の挿通孔（３２）に、連結パイプ１５，１６の略中央部分に取り付けた回転軸（３３）を挿入させる。そして、連結パイプ１５，１６の両端に形成された挿通孔（３２）に各ハンガパイプ１３，１４の両端に取り付けられた回転軸（３３）をそれぞれ挿通させることで完成する。このように、工具を必要とせずに、単に嵌合や挿通を行うだけで簡単に組み立てることができるものである。
【００１９】
そこで、図３に、図１におけるハンガパイプの反転動作の説明図を示す。図３（Ａ）〜（Ｆ）は、ハンガスタンド１１のハンガ吊掛部１２を上方よりみた場合を示している。図３（Ａ）は、まず、ハンガスタンド１１が壁４１，４２間に位置された場合として示している。すなわち、ハンガ吊掛部１２の連結パイプ１５，１６が両壁４１，４２間に微小の隙間を有して位置され、手前側にハンガパイプ１３が位置されているものとする。そこで、図３（Ｂ）に示すように、回動係合部２１を中心に、連結パイプ１５を手前側に引くと同時に連結パイプ１６を奥側に押し出しながら回動させ、図３（Ｃ）に示すように、連結パイプ１５を手前側にし、連結パイプ１６を奥側に位置させる。このとき、ハンガパイプ１３が壁４１側に位置され、ハンガパイプ１４が壁４２側に位置される。
【００２０】
続いて、図３（Ｄ）に示すように、ハンガパイプ１４を手前側に引くと同時にハンガパイプ１３を奥側に押し出し、図３（Ｅ）に示すように回動させていくと、図３（Ｆ）に示すように連結パイプ１５が壁４１に微小の隙間を有して位置され、連結パイプ１６が壁４２に微小の隙間を有して位置される。このとき、ハンガパイプ１４が手前側に位置され、ハンガパイプ１３が奥側に位置された状態となるものである。すなわち、壁４１，４２間を広げることなく、奥側のハンガパイプ１４を手前側に反転させることができるものである。
【００２１】
このように、簡易構造のハンガスタンド１１において、奥行き２列でハンガパイプ１３，１４に掛け吊されたハンガ２４のうち、当該ハンガパイプ１３，１４の長さによる幅の範囲（壁４１，４２の距離）の小スペースで奥側のハンガパイプ１４を手前側に反転させることができ、利便性を向上させることができるものである。
【００２２】
次に、図４に、本発明に係るハンガスタンドにおける第２実施形態の構成図を示す。図４に示すハンガスタンド１１は、図１の連結パイプ１５，１６を延長し、図２（Ａ）に示す挿通孔３１の他に挿通孔５１Ａ〜５１Ｄを形成したものである。すなわち、連結パイプ１５，１６上に、ハンガパイプ１３に対応する挿通孔を複数形成し、またハンガパイプ１４に対応する挿通孔を複数形成したもので、それぞれのハンガパイプ１３，１４に取り付けられた回転軸３３を連結パイプ１５，１６の対応する何れかの挿通孔に挿通させることができるものとしたものある。
【００２３】
このような簡易構造のハンガスタンド１１は、上記同様に、小スペースで奥側のハンガパイプ１４を手前側に反転させることができ、利便性を向上させることができると共に、ハンガスタンド１１の設置場所において奥行きに余裕がある場合に、各ハンガパイプ１３，１４の間隔を広げて使用できるようになり、さらなる利便性を向上させることができるものである。このことは、以下の実施形態においても適用することができる。
【００２４】
次に、図５に、本発明に係るハンガスタンドにおける第３実施形態の構成図を示す。図５（Ａ）に示すハンガスタンド１１は、ハンガパイプ１３を連結パイプ１５，１６の下方に回動係合部１７Ｅ，１７Ｆにより回動自在に取り付けた場合を示したものである。すなわち、回動係合部１７Ｅ，１７Ｆは、図５（Ｂ）に示すように、ハンガパイプ１３の挿通孔３１の両端にワッシャ５１，５２を位置させて回転軸（ボルト）３３を連結パイプ１５，１６の挿通孔３２およびハンガパイプ１３の挿通孔３１に挿通し、当該ハンガパイプ１３の下方よりワッシャ５２を介在させてナット５３，５４のダブルナットで固定したもので、当該ハンガパイプ１３と連結パイプ１５，１６との回動をスムーズとしたものである。すなわち、ハンガパイプ１３とハンガパイプ１４とを水平面に対して段違いに配置したものである。
【００２５】
このような簡易構造のハンガスタンド１１は、上記同様に、小スペースで奥側のハンガパイプ１４を手前側に反転させることができ、利便性を向上させることができると共に、奥行き２列で掛け吊されたハンガの先端同士がぶつかり合うことなく、ひいては掛けられる衣類等のぶつかり合いや擦れを回避させることができるものである。
【００２６】
次に、図６に、本発明に係るハンガスタンドにおける第４実施形態の構成図を示す。図６に示すハンガスタンド１１は、連結パイプ１５，１６を少なくともハンガ２４の端部まで延長し、それぞれに例えばプラスチック等の保護部６１，６２を設けたものである。この保護部６１，６３は、ハンガパイプ１３，１５を反転させたときに、ハンガ２４に掛けられた衣類等が揺れたりすることを当該保護部６１，６２で最小限にしようとするものである。
【００２７】
これによって、ハンガパイプ１３，１４の反転をハンガ掛けされた衣類等に影響されずにスムーズに行うことができると共に、反転の際のハンガ掛けされた衣類等の引っかかりや擦れを回避させることができるものである。
【産業上の利用可能性】
【００２８】
本発明のハンガスタンドは、狭いスペースに設置させる場合として、一般家庭や衣料等の販売店で利用される場合に適する。
【図面の簡単な説明】
【００２９】
【図１】本発明に係るハンガスタンドにおける第１実施形態の構成図である。
【図２】図１における各回動係合部の一例の説明図である。
【図３】図１におけるハンガパイプの反転動作の説明図である。
【図４】本発明に係るハンガスタンドにおける第２実施形態の構成図である。
【図５】本発明に係るハンガスタンドにおける第３実施形態の構成図である。
【図６】本発明に係るハンガスタンドにおける第４実施形態の構成図である。
【図７】従来のハンガ掛けの説明図である。
【符号の説明】
【００３０】
１１              ハンガスタンド
１２              ハンガ吊掛部
１３，１４        ハンガパイプ
１５，１６        連結パイプ
１７，１９，２１  回動係合部
１８              梁パイプ
２０              支持柱
２２              スタンド部
２４              ハンガ
【図１】
2006034397.tif 000003
【図２】
2006034397.tif 000004
【図３】
2006034397.tif 000005
【図４】
2006034397.tif 000006
【図５】
2006034397.tif 000007
【図６】
2006034397.tif 000008
【図７】
2006034397.tif 000009